【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
少なくとも１つのカソードと少なくとも１つのアノードとを用いた電気分解によって、総溶解固形分含有量が０ｐｐｍ〜１０ｐｐｍである水の初期流から、ｐＨが１０．０〜１２．０であるアルカリ水と、酸性水とを生成する方法であって、
カチオンおよびアニオンのアルカリ塩を前記初期流に溶解することによって、前記アルカリ塩の前記カチオンおよび前記アニオンと溶解していないアルカリ塩の残留物とを含有する前記初期流を含む供給流を生成するステップと、
前記供給流を電気分解することによって水を水素イオンおよび水酸化物イオンに解離させ、カソード付近にアルカリ水、アノード付近に酸性水を生成するステップと、
前記アルカリ水を除去するステップと、
前記酸性水を除去するステップとを含む方法において、
前記初期流に前記アルカリ塩を溶解するステップはさらに、低級アルキルカルボン酸の前記アルカリ塩を２６ｐｐｍ〜１３２１ｐｐｍの範囲で前記初期流に加えることによって前記供給流を生成し、前記電位をかけるステップにより得られた前記アルカリ水が前記範囲の下限では低ｐＨ、前記範囲の上限では高ｐＨとなるようにするステップとして定義されることを特徴とする、方法。
【請求項２】
前記低級アルキルカルボン酸の前記アルカリ塩を加えるステップはさらに、前記低級アルキルカルボン酸のプロピオン酸ナトリウムを前記初期流に加えることによって、ナトリウムの前記カチオンと、プロピオン酸の前記アニオンと、前記溶解していないアルカリ塩の残留物であるプロピオン酸ナトリウムとを含有する前記供給流を生成するステップとして定義される、請求項１に記載のアルカリ水を生成する方法。
【請求項３】
前記供給流を電気分解するステップは、前記カソードと前記アノードとの間に電位をかけるステップをさらに含む、請求項２に記載のアルカリ水を生成する方法。
【請求項４】
前記電位をかけるステップはさらに、
前記カソードと前記アノードとの間に０．５Ｖ〜５０Ｖの前記電位をかけることによって、前記水素イオンを前記アノードの方へ移動させてｐＨが４．０〜５．０である前記酸性水を生成するとともに、前記水酸化物イオンを前記カソードの方へ移動させて前記低ｐＨである１０．０から前記高ｐＨである１２．０の範囲を有する前記アルカリ水を生成するステップ、
前記プロピオン酸のアニオンを、水素ガス、二酸化炭素、およびエチレンに解離させるステップ、および
前記二酸化炭素と前記水素ガスと前記水酸化物イオンとを反応させることによって、前記アルカリ水に溶解した炭酸イオンと重炭酸イオンとを生じさせるステップとして定義され、前記アルカリ水は、１０ｐｐｍ〜１５０ｐｐｍ存在するナトリウムイオンと、３１ｐｐｍ〜４４０ｐｐｍ存在する前記炭酸イオンと、９ｐｐｍ〜７０ｐｐｍ存在する前記重炭酸イオンとを含有するとともに、含有する水酸化物イオンがゼロであり、全アルカリ度が４０ｐｐｍ〜５１０ｐｐｍに規定され、総溶解固形分が５８ｐｐｍ〜１０００ｐｐｍに規定される、請求項３に記載のアルカリ水を生成する方法。
【請求項５】
粒度が１μｍ以下である少なくとも１つの多孔質膜フィルタで前記供給流を濾過することによって、前記溶解していないアルカリ塩の残留物を前記供給流から除去するステップをさらに含む、請求項１に記載のアルカリ水を生成する方法。
【請求項６】
前記供給流を電気分解するステップの前に、前記供給流を殺菌するステップをさらに含む、請求項１に記載のアルカリ水を生成する方法。
【請求項７】
前記供給流を殺菌するステップはさらに、前記供給流を少なくとも２１２°Ｆの沸騰温度まで少なくとも３分間加熱することによって、前記供給流を殺菌してバクテリアを取除くステップとして定義される、請求項６に記載のアルカリ水を生成する方法。
【請求項８】
前記供給流を電気分解するステップの前に、前記カソード、前記アノード、および電気分解装置を殺菌するステップをさらに含む、請求項１に記載のアルカリ水を生成する方法。
【請求項９】
前記カソード、前記アノード、および前記電気分解装置を殺菌するステップはさらに、前記供給流を電気分解するステップの前に、ｐＨが少なくとも１１．５であるアルカリ性溶液で前記電気分解装置、前記カソード、および前記アノードを洗浄するステップとして定義される、請求項８に記載のアルカリ水を生成する方法。
【請求項１０】
前記供給流を電気分解するステップの前に、予め定められた毎分３リットルの流量で前記供給流を前記電気分解装置内に送るステップをさらに含む、請求項８に記載のアルカリ水を生成する方法。
【請求項１１】
前記供給流を電気分解するステップは、前記電位をかけるステップの前に、前記カソードおよび前記アノードを間隔をあけた関係で前記供給流内に挿入するステップをさらに含む、請求項３に記載のアルカリ水を生成する方法。
【請求項１２】
前記アルカリ水を除去するステップの後に、前記アルカリ水を周囲空気および前記酸性水から隔離することによって、前記アルカリ水が前記周囲空気および前記酸性水と相互に作用することを防止するステップをさらに含む、請求項１に記載のアルカリ水を生成する方法。
【請求項１３】
前記酸性水を除去するステップの後に、前記酸性水を周囲空気および前記アルカリ水から隔離することによって、前記酸性水が前記周囲空気および前記アルカリ水と相互に作用することを防止するステップをさらに含む、請求項１に記載のアルカリ水を生成する方法。
【請求項１４】
複数のナトリウムイオンと、
複数の重炭酸イオンと、
複数の炭酸イオンとを含むアルカリ水組成であって、
前記アルカリ水組成は、
全アルカリ度が４０ｐｐｍ〜５１０ｐｐｍに規定され、
総溶解固形分が５８ｐｐｍ〜１０００ｐｐｍに規定され、
含有する水酸化物イオンがゼロであることを特徴とする、アルカリ水組成。
【請求項１５】
さらに硬度が３．５〜１０に規定される、請求項１４に記載のアルカリ水組成。
【請求項１６】
さらにランゲリア指数が０．３７〜２．２０に規定される、請求項１４に記載のアルカリ水組成。
【請求項１７】
前記ナトリウムイオンは１０ｐｐｍ〜１５０ｐｐｍ存在する、請求項１４に記載のアルカリ水組成。
【請求項１８】
前記重炭酸イオンは９ｐｐｍ〜７０ｐｐｍ存在する、請求項１４に記載のアルカリ水組成。
【請求項１９】
前記炭酸イオンは４０ｐｐｍ〜５１０ｐｐｍ存在する、請求項１４に記載のアルカリ水組成。
【請求項２０】
１０ｐｐｍ〜１５０ｐｐｍ存在する複数のナトリウムイオンと、
９ｐｐｍ〜７０ｐｐｍ存在する複数の重炭酸イオンと、
複数の炭酸イオンとを含むアルカリ水組成であって、
前記複数の炭酸イオンは３１ｐｐｍ〜４４０ｐｐｍ存在し、
全アルカリ度が４０ｐｐｍ〜５１０ｐｐｍに規定され、
総溶解固形分が５８ｐｐｍ〜１０００ｐｐｍに規定され、
ｐＨが１０．０〜１２．０に規定され、
硬度が３．５〜１０に規定され、
ランゲリア指数が０．３７〜２．２０に規定され、
含有する水酸化物イオンがゼロであることを特徴とする、アルカリ水組成。
【請求項２１】
総溶解固形分含有量が０ｐｐｍ〜１０ｐｐｍである水の初期流を使用し、かつ、少なくとも１つのカソードと少なくとも１つのアノードとを用いた電気分解による方法で作られた、ｐＨが１０．０〜１２．０であるアルカリ水であって、前記方法は、
カチオンおよびアニオンのアルカリ塩を前記初期流に溶解することによって、前記アルカリ塩の前記カチオンおよび前記アニオンと溶解していないアルカリ塩の残留物とを含有する前記初期流を含む供給流を生成するステップと、
前記供給流を電気分解することによって水を水素イオンおよび水酸化物イオンに解離させ、カソード付近にアルカリ水、アノード付近に酸性水を生成するステップと、
前記アルカリ水を除去するステップと、
前記酸性水を除去するステップとを含む方法であって、
前記初期流に前記アルカリ塩を溶解するステップはさらに、低級アルキルカルボン酸の前記アルカリ塩を２６ｐｐｍ〜１３２１ｐｐｍの範囲で前記初期流に加えることによって前記供給流を生成し、前記電位をかけるステップにより得られた前記アルカリ水が前記範囲の下限では低ｐＨ、前記範囲の上限では高ｐＨとなるようにするステップとして定義されることを特徴とする、アルカリ水。
【請求項２２】
前記低級アルキルカルボン酸の前記アルカリ塩を加えるステップはさらに、前記低級アルキルカルボン酸のプロピオン酸ナトリウムを前記初期流に加えることによって、ナトリウムの前記カチオンと、プロピオン酸の前記アニオンと、前記溶解していないアルカリ塩の残留物であるプロピオン酸ナトリウムとを含有する前記供給流を生成するステップとして定義される、請求項２１に記載のアルカリ水を生成する方法。
【請求項２３】
前記供給流を電気分解するステップは、前記カソードと前記アノードとの間に電位をかけるステップをさらに含む、請求項２２に記載のアルカリ水を生成する方法。
【請求項２４】
前記電位をかけるステップはさらに、
前記カソードと前記アノードとの間に０．５Ｖ〜５０Ｖの前記電位をかけることによって、前記水素イオンを前記アノードの方へ移動させてｐＨが４．０〜５．０である前記酸性水を生成するとともに、前記水酸化物イオンを前記カソードの方へ移動させて前記低ｐＨである１０．０から前記高ｐＨである１２．０の範囲を有する前記アルカリ水を生成するステップ、
前記プロピオン酸のアニオンを、水素ガス、二酸化炭素、およびエチレンに解離させるステップ、および
前記二酸化炭素と前記水素ガスと前記水酸化物イオンとを反応させることによって、前記アルカリ水に溶解した炭酸イオンと重炭酸イオンとを生じさせるステップとして定義され、前記アルカリ水は、１０ｐｐｍ〜１５０ｐｐｍ存在するナトリウムイオンと、３１ｐｐｍ〜４４０ｐｐｍ存在する前記炭酸イオンと、９ｐｐｍ〜７０ｐｐｍ存在する前記重炭酸イオンとを含有するとともに、含有する水酸化物イオンがゼロであり、全アルカリ度が４０ｐｐｍ〜５１０ｐｐｍに規定され、総溶解固形分が５８ｐｐｍ〜１０００ｐｐｍに規定される、請求項２３に記載のアルカリ水を生成する方法。
【請求項２５】
前記供給流を電気分解するステップの前に、粒度が１μｍ以下である少なくとも１つの多孔質膜フィルタで前記供給流を濾過することによって、前記溶解していないアルカリ塩の残留物を前記供給流から除去するステップをさらに含む、請求項２１に記載のアルカリ水を生成する方法。
【請求項２６】
前記供給流を電気分解するステップの前に、前記供給流を殺菌するステップをさらに含む、請求項２１に記載のアルカリ水を生成する方法。
【請求項２７】
前記供給流を殺菌するステップはさらに、前記供給流を少なくとも２１２°Ｆの沸騰温度まで少なくとも３分間加熱することによって、前記供給流を殺菌してバクテリアを取除くステップとして定義される、請求項２６に記載のアルカリ水を生成する方法。
【請求項２８】
前記供給流を電気分解するステップの前に、前記カソード、前記アノード、および電気分解装置を殺菌するステップをさらに含む、請求項２１に記載のアルカリ水を生成する方法。
【請求項２９】
前記カソード、前記アノード、および前記電気分解装置を殺菌するステップはさらに、前記供給流を電気分解するステップの前に、ｐＨが少なくとも１１．５であるアルカリ性溶液で前記電気分解装置、前記カソード、および前記アノードを洗浄するステップとして定義される、請求項２８に記載のアルカリ水を生成する方法。
【請求項３０】
前記供給流を前記電気分解装置内に送るステップはさらに、予め定められた毎分３リットルの流量で前記供給流を前記電気分解装置内に送るステップとして定義される、請求項２１に記載のアルカリ水を生成する方法。
【請求項３１】
前記供給流を電気分解するステップは、前記電位をかけるステップの前に、前記カソードおよび前記アノードを間隔をあけた関係で前記供給流内に挿入するステップをさらに含む、請求項２１に記載のアルカリ水を生成する方法。
【請求項３２】
前記アルカリ水を除去するステップの後に、前記アルカリ水を周囲空気および前記酸性水から隔離することによって、前記アルカリ水が前記周囲空気および前記酸性水と相互に作用することを防止するステップをさらに含む、請求項２１に記載のアルカリ水を生成する方法。
【請求項３３】
前記酸性水を除去するステップの後に、前記酸性水を前記周囲空気および前記アルカリ水から隔離することによって、前記酸性水が前記周囲空気および前記アルカリ水と相互に作用することを防止するステップをさらに含む、請求項２１に記載のアルカリ水を生成す
る方法。
【請求項３４】
前記アルカリ水は、
１０ｐｐｍ〜１５０ｐｐｍ存在する複数のナトリウムイオンと、
３１ｐｐｍ〜４４０ｐｐｍ存在する複数の炭酸イオンと、
９ｐｐｍ〜７０ｐｐｍ存在する複数の重炭酸イオンとを含み、
含有する水酸化物イオンがゼロであり、
全アルカリ度が４０ｐｐｍ〜５１０ｐｐｍに規定され、
総溶解固形分が５８ｐｐｍ〜１０００ｐｐｍに規定され、
ｐＨが１０．０〜１２．０に規定され、
硬度が３．５〜１０に規定され、
ランゲリア指数が０．３７〜２．２０に規定される、請求項２１に記載の方法のアルカリ水。
【請求項３５】
少なくとも１つのカソードと、少なくとも１つのアノードと、粒度が１μｍ以下である少なくとも１つの多孔質膜フィルタとを有する電気分解装置を用いた電気分解によって、総溶解固形分含有量が０ｐｐｍ〜１０ｐｐｍである水の初期流から、ナトリウムイオン、炭酸イオン、および重炭酸イオンを含有してｐＨが１０．０〜１２．０であるアルカリ水と、酸性水とを生成する方法であって、
予め定められた少なくとも１５０°Ｆの温度まで前記初期流を加熱するステップと、
カチオンおよびアニオンのアルカリ塩を前記初期流に溶解することによって、前記アルカリ塩の前記カチオンおよび前記アニオンと、溶解していないアルカリ塩の残留物とを含有する前記初期流を含む供給流を生成するステップと、
粒度が１μｍ以下である少なくとも１つの多孔質膜フィルタで前記供給流を濾過することによって、前記溶解していないアルカリ塩の残留物を前記供給流から除去するステップと、
前記供給流を殺菌するステップとを含み、
前記供給流を殺菌するステップはさらに、前記供給流を少なくとも２１２°Ｆの沸騰温度まで少なくとも３分間加熱することによって、前記供給流を殺菌してバクテリアを取除くステップとして定義され、前記方法はさらに、
カソード、アノード、および電気分解装置を殺菌するステップを含み、
前記カソード、前記アノード、および前記電気分解装置を殺菌するステップはさらに、前記供給流を電気分解するステップの前に、ｐＨが少なくとも１１．５であるアルカリ性溶液で前記電気分解装置、前記カソード、および前記アノードを洗浄するステップとして定義され、前記方法はさらに、
予め定められた毎分３リットルの流量で前記供給流を前記電気分解装置内に送るステップと、
前記供給流を電気分解することによって水を水素イオンおよび水酸化物イオンに解離させ、前記カソード付近にアルカリ水、前記アノード付近に酸性水を生成するステップとを含み、
前記供給流を電気分解するステップは、前記カソードおよび前記アノードを間隔をあけた関係で前記供給流内に挿入するステップをさらに含み、
前記供給流を電気分解するステップは、前記カソードと前記アノードとの間に電位をかけるステップをさらに含み、前記方法はさらに、
前記アルカリ水を除去するステップと、
前記酸性水を除去するステップと、
前記アルカリ水を除去するステップの後に、前記アルカリ水を周囲空気および前記酸性水から隔離することによって、前記アルカリ水が前記周囲空気および前記酸性水と相互に作用することを防止するステップと、
前記酸性水を除去するステップの後に、前記酸性水を前記周囲空気および前記アルカリ水から隔離することによって、前記酸性水が前記周囲空気および前記アルカリ水と相互に作用することを防止するステップとを含む方法であって、
前記初期流に前記アルカリ塩を溶解するステップはさらに、低級アルキルカルボン酸の前記アルカリ塩であるプロピオン酸ナトリウムを２６ｐｐｍ〜１３２１ｐｐｍの範囲で前記初期流に加えることによって、ナトリウムの前記カチオンとプロピオン酸の前記アニオンと前記溶解していないアルカリ塩の残留物であるプロピオン酸ナトリウムとを含有する前記供給流を生成し、前記電位をかけるステップにより得られた前記アルカリ水が前記範囲の下限では低ｐＨ、前記範囲の上限では高ｐＨとなるようにするステップとして定義され、
前記電位をかけるステップはさらに、
前記カソードと前記アノードとの間に０．５Ｖ〜５０Ｖの前記電位をかけることによって、前記水素イオンを前記アノードの方へ移動させてｐＨが４．０〜５．０である前記酸性水を生成するとともに、前記水酸化物イオンを前記カソードの方へ移動させてｐＨが１０．０〜１２．０である前記アルカリ水を生成するステップ、
前記プロピオン酸のアニオンを、水素ガス、二酸化炭素、およびエチレンに解離させるステップ、および
前記二酸化炭素と前記水素ガスと前記水酸化物イオンとを反応させることによって、前記アルカリ水に溶解した炭酸イオンと重炭酸イオンとを生じさせるステップとして定義され、前記アルカリ水は、１０ｐｐｍ〜１５０ｐｐｍ存在するナトリウムイオンと、３１ｐｐｍ〜４４０ｐｐｍ存在する前記炭酸イオンと、９ｐｐｍ〜７０ｐｐｍ存在する前記重炭酸イオンとを含有するとともに、含有する水酸化物イオンがゼロであり、全アルカリ度が４０ｐｐｍ〜５１０ｐｐｍに規定され、総溶解固形分が５８ｐｐｍ〜１０００ｐｐｍに規定されることを特徴とする、方法。
【手続補正２】
【補正対象書類名】図面
【補正対象項目名】図１
【補正方法】変更
【補正の内容】
【図１】
2018520871.tif 000001